(57)【要約】【課題】障子を閉じた時に手や指をはさんでも安全であるし、戸当り框の外面から中空部に外気が流入することが可能で、その中空部を外気と等圧として雨水が浸入し難くしたスライディングサッシとする。【解決手段】サッシ枠１０の縦枠１３に枠側緩衝材４０を取付けると共に、障子２０の戸当り框（一方の縦框２３）の外面２３ａに障子側緩衝材３０を取付けて手や指をはさんでも安全であるとし、前記戸当り框に取付けた摺動片５０は障子側緩衝材３０と上下方向に連続し、かつ枠側緩衝材４０に接する接触部５４を備え、この接触部５４は外気を戸当り框の外面２３ａまで流入する外気導入部を有し、その戸当り框の外面２３ａまで外気が流入するようにする。【選択図】図４
2005350986.tif 000002
【特許請求の範囲】
【請求項１】
サッシ枠に障子を面内方向に移動自在に装着したスライディングサッシにおいて、
前記サッシ枠の縦枠の内面に枠側緩衝材、前記障子の戸当り框の外面に障子側緩衝材を、障子を閉じた状態で相互に接するようにそれぞれ取付け、
前記戸当り框に取付けた摺動片は、前記障子側緩衝材と上下方向に連続し、かつ前記枠側緩衝材と接する接触部を備え、この接触部は、その室外側部を戸当り框の外面に開口連通する外気導入部を有することを特徴とするスライディングサッシ。
【請求項２】
戸当り框の外向き凹部の底部を戸当り框の外面とし、
その戸当り框の外向き凹部に障子側緩衝材の装着部を取付けて本体部を外向き凹部よりも突出し、
摺動片の主取付部、補助取付部を戸当り框の中空部、外向き凹部に嵌合して取付けて接触部を外向き凹部よりも突出し、この接触部を前記本体部に接し、
この接触部の室外側部に形成した外気導入孔を、前記接触部と補助取付部に形成した空気通路で外向き凹部の底部に連通して外気導入部とした請求項１記載のスライディングサッシ。
【発明の詳細な説明】
【技術分野】
【０００１】
本発明は、引き違いサッシ、片引きサッシなどのサッシ枠に障子を面内方向に移動自在に装着したスライディングサッシに関する。
【背景技術】
【０００２】
特許文献１に、サッシ枠を形成する縦枠と障子の戸当り框の室内側部との間を縦シール材で気密、水密した引き違いサッシが開示されている。
特許文献２に、サッシ枠の縦枠の面内方向の内面に枠側緩衝材を装着し、障子の戸当り框の面内方向の外面に障子側緩衝材を装着し、この緩衝材相互を接して縦枠と戸当り框との間を気密、水密した引き違いサッシが開示されている。
【０００３】
【特許文献１】実公平６２−４３１１７号公報
【特許文献２】実公平６３−６３８７号公報
【発明の開示】
【発明が解決しようとする課題】
【０００４】
特許文献１に開示された引き違いサッシは、縦枠の面内方向の内面と戸当り框の面内方向の外面との間に隙間があると共に、その隙間が室外に開口連通しているので、その隙間を通って戸当り框の外面まで外気が流入し、その外面から戸当り框の中空部に外気を流入し易く、その戸当り框の中空部が外気と等圧となるので、その中空部に雨水等が浸入し難く、水密性が良い。
つまり、戸当り框の外面には上框、下框と連結するためのビスが挿通する穴が穿けてあるし、その戸当り框の中空部は上部、下部に開口しているので、雨水等が入り込むが、その中空部が外気と等圧であれば雨水等が浸入し難い。
【０００５】
しかし、特許文献１に開示した引き違いサッシは、障子を閉じた時に戸当り框の外面が縦枠の内面に直接的に接するので、障子を閉じた時に戸当り框の外面と縦枠の内面との間に人の手や指をはさむと、その手や指を傷つける恐れがある。
【０００６】
特許文献２に開示された引き違いサッシは、障子を閉じた時に戸当り框の外面に取付けた障子側緩衝材が縦枠の内面に取付けた枠側緩衝材に衝突するので、手や指をはさんでも傷つけることがなく安全である。
【０００７】
しかし、障子を閉じた時に戸当り框の外面と縦枠の内面との間に外気が流入する隙間が存在しないので、戸当り框の外面に外気が流入しないから、その外面から戸当り框の中空部に外気が流入することがなく、戸当り框の中空部が外気と等圧になり難く、その中空部に雨水が流入し易く、水密性が低下する。
つまり、戸当り框の中空部に流入した雨水は下枠上に溜まるので、多量の雨水が流入すると下枠に多量の雨水が溜まり、室内側に流れ込む恐れがある。
【０００８】
本発明の目的は、障子を閉じた時に戸当り框と縦枠との間に手や指をはさんでも傷つけることがなく安全であること、戸当り框の外面から中空部に外気が流入して中空部を外気と等圧にでき、その中空部に雨水が浸入し難いこと、を満足したスライディングサッシを提供することである。
【課題を解決するための手段】
【０００９】
本発明は、サッシ枠に障子を面内方向に移動自在に装着したスライディングサッシにおいて、
前記サッシ枠の縦枠の内面に枠側緩衝材、前記障子の戸当り框の外面に障子側緩衝材を、障子を閉じた状態で相互に接するようにそれぞれ取付け、
前記戸当り框に取付けた摺動片は、前記障子側緩衝材と上下方向に連続し、かつ前記枠側緩衝材と接する接触部を備え、この接触部は、その室外側部を戸当り框の外面に開口連通する外気導入部を有することを特徴とするスライディングサッシである。
【００１０】
本発明においては、戸当り框の外向き凹部の底部を戸当り框の外面とし、
その戸当り框の外向き凹部に障子側緩衝材の装着部を取付けて本体部を外向き凹部よりも突出し、
摺動片の主取付部、補助取付部を戸当り框の中空部、外向き凹部に嵌合して取付けて接触部を外向き凹部よりも突出し、この接触部を前記本体部に接し、
この接触部の室外側部に形成した外気導入孔を、前記接触部と補助取付部に形成した空気通路で外向き凹部の底部に連通して外気導入部とすることが好ましい。
このようにすれば、障子側緩衝材、摺動片を戸当り框に簡単に取付けできる。
また外気導入孔、空気通路によって外向き凹部の底部まで外気が流入するので、その底部から中空部に外気がスムーズに流入し中空部を外気と等圧にできる。
【発明の効果】
【００１１】
本発明によれば、障子を閉じた時に障子側緩衝材と枠側緩衝材が接するから、戸当り框と縦枠との間に手や指をはさんでも傷つけることがなく安全である。
また、摺動片の外気導入部から戸当り框の外面まで外気が流入するので、その戸当り框の外面から中空部に外気が流入して中空部を外気と等圧にでき、その中空部に雨水が浸入し難い。
【発明を実施するための最良の形態】
【００１２】
図１に示すように、サッシ枠１０の面外方向一側寄り（室内側寄り）と面外方向他側寄り（室外側寄り）に障子２０が面内方向に移動自在で引き違いに装着されて引き違いサッシを構成している。
これに限ることはなく、例えば前述の一方の障子２０を固定し、他方の障子２０を面内方向に移動自在とした片引きサッシであっても良い。
つまり、サッシ枠１０に障子２０を面内方向に移動自在に装備したスライディングサッシであれば良い。
【００１３】
前記サッシ枠１０は、上枠１１と下枠１２と左右の縦枠１３で方形枠状である。
前記障子２０は上框２１と下框２２と一方の縦框２３と他方の縦枠２４を方形状に連結し、その内部にガラス２５を取付けたものである。
【００１４】
前記上枠１１は図２に示すように、室内側寄りと室外側寄りに上レール１１ａをそれぞれ有する。
前記上框２１は上向き凹部２１ａを有し、この上向き凹部２１ａ内に前記上レール１１ａが入り込むと共に、その上向き凹部２１ａの室外側縦内面と室外側縦内面に上横シール材１がそれぞれ装着してある。
この上横シール材１が上レール１１ａの室内側面と室外側面に接して上框２１と上枠１１との間を気密、水密している。
【００１５】
前記下枠１２は図２に示すように、室外側寄りと室内側寄りに下レール１２ａをそれぞれ有する。
前記下框２２に戸車２２ａが取付けてあり、その戸車２２ａが前記下レール１２ａに沿って回転動する。
前記下枠１２の室内側寄りと室外側寄り、例えば前述の各下レール１２ａよりも室内側寄りに下横シール材２がそれぞれ装着してある。
この下横シール材２に、下框２２の室内側部２２ｂが接して下框２２と下枠１２との間を気密、水密している。
【００１６】
図１と図３に示すように、前記一方の縦框２３の面内方向の外面（以下、単に外面という）に障子側緩衝材３０が取付けてあり、この一方の縦框２３と対向した縦枠１３の面内方向の内面（以下、単に内面という）に枠側緩衝材４０が取付けてある。この障子側緩衝材３０と枠側緩衝材４０で縦枠１３と縦框２３との間を気密、水密する。
前記障子２０を閉じると障子側緩衝材３０が枠側緩衝材４０に当たるので、手や指を挟んでも安全である。
つまり、前述の一方の縦框２３が戸当り框である。
なお前記縦枠１３には図３に示すように縦シール材３が装着されてあり、この縦シール材３が枠側緩衝材４０の室内側面に圧接している。
【００１７】
上框２１、下框２２と縦框２３は、その縦框２３の外面２３ａに形成した孔からビスを上框２１、下框２２のビスホール２１ｂ、２２ｃに螺合して連結される。
このようであるから、縦框２３の中空部２３ｂには外面２３ａに形成した孔から外気が流入可能である。
【００１８】
前記室外側寄りに装着した障子２０の他方の縦框２４の室内側部に召合せシール材４が装着され、この召合せシール材４が室内側寄りに装着した障子２０の他方の縦框２４の室外側部に接し、各他方の縦框２４相互間を気密、水密している。
つまり、他方の縦框２４が召合せ框である。
【００１９】
図１に示すように前記障子２０の一方の縦框２３の上部と下部に摺動片５０がそれぞれ取付けてある。この上部に取付けた摺動片５０が図２に示すように上枠１１（上レール１１ａ）に沿って長手方向（面内方向）に摺動自在に支承され、下部に取付けた摺動片５０が下枠１２（下レール１２ａ）に沿って長手方向（面内方向）に摺動自在に支承される。なお、図示を省略するが他方の縦框２４の上部と下部にも摺動片がそれぞれ取付けてある。
【００２０】
前記上部に取付けた摺動片５０は、図１に示すように障子側緩衝材３０の上部と上下方向に連続して枠側緩衝材４０の上部と接するようにしてある。
前記下部に取付けた摺動片５０は図１、図４に示すように障子側緩衝材３０の下部と上下方向に連続して枠側緩衝材４０の下部と接するようにしてある。
前記各摺動片５０の枠側緩衝材４０と接する部分５０ａにおける室外側部に外気導入孔５１が形成され、この外気導入孔５１は一方の縦框２３の外面２３ａに開口連通して外気導入部を構成している。
【００２１】
このようであるから、一方の縦框２３の外面２３ａにおける障子側緩衝材３０を取付けた部分は、その障子側緩衝材３０で閉塞されて外気が流入しないが、その外面２３ａにおける摺動片５０を取付けた部分には、その摺動片５０の外気導入部を通して外気が流入するので、その一方の縦框２３の中空部２３ｂが外気と等圧になり易く、その中空部２３ｂに雨水が流入し難くなる。
また、一方の縦框２３に外気を導入する孔を加工したり、障子側緩衝材３０に外気を導入する切欠や孔を加工する必要がない。
【００２２】
次に、前述の具体形状について図３、図４、図５、図６に基づいて説明する。
前記一方の縦框２３は、面内方向の外側に外向き凹部６０、面内方向の内側に内向きの凹部６１を有する。その外向き凹部６０の底部が前述の外面２３ａで、その外向き凹部６０に前述の障子側緩衝材３０が取付けられ、前記外面２３ａの障子側緩衝材３０を取付けた部分が閉塞される。
前記内向き凹部６１にガラス２５がガスケット６２で装着される。
【００２３】
前記障子側緩衝材３０は、本体部３１と装着部３２を備え、その装着部３２が前記外向き凹部６０に装着され、本体部３１が外向き凹部６０よりも突出し、かつ外向き凹部６０を閉塞する。この実施の形態では本体部３１の外面がほぼ半円形の凸形状で、本体部３１は中空形状で、弾性変形し易くしてあるが、これに限ることはない。
前記障子側緩衝材３０は一方の縦框２３よりも短く、その長手方向の端面３０ａは一方の縦框２３の長手方向の端面２３ｃと離隔して外向き凹部６０の長手方向両端部分は開口している。図５においては、障子側緩衝材３０の下端面が一方の縦框２３の下端面よりも上方に位置して、外向き凹部６０の下端部分が開口している。
【００２４】
前記枠側緩衝材４０は、その内面４１が障子側緩衝材３０の本体部３１の外面が接するようにほぼ半円形の凹形状で、外面４２に開口した取付用溝４３を有する。
この取付用溝４３が縦枠１３の内面に設けた内向片１３ａに嵌合して取付けられる。
【００２５】
前記摺動片５０は、本体部５２と取付部５３と接触部５４を備えている。
前記本体部５２は下レール１２ａが摺動自在に嵌まり込む凹部５２ａを有すると共に、上下面に貫通した排水部５２ｂを有する。
前記取付部５３は本体部５２の上面に設けてあり、この取付部５３は縦框２３の中空部２３ｂに嵌合する主取付部５５と、縦框２３の外向き凹部６０に嵌合する補助取付部５６を有する。
前記接触部５４は補助取付部５６と連続し外向き凹部６０よりも突出し、その接触部５４の外面はほぼ半円形の凸形状で、前記障子側緩衝材３０の本体部３１の外面とほぼ同一形状である。そして、接触部５４の上部は本体部３１の下端部と上下方向に連続し、かつ前記枠側緩衝材４０と接する。
前記接触部５４の室外側５４ａに前述の外気導入孔５１が形成してある。
前記補助取付部５６と接触部５４は、ほぼコ字形状に連続し、前記外気導入口５１を補助取付部５６の内側面５６ａまで連続する空気通路５７を有している。これによって、前述の外気導入部を構成している。
【００２６】
前記接触部５４の上端部５４ｂには突片５８が設けてあり、この突片５８が障子側緩衝材３０の本体部３１の中空部内に嵌合して本体部３１と接触部５４が隙間なく連続するようにしてある。
例えば、図５に示すように摺動片５０を縦框２３に向けて矢印ａ方向に移動することで主取付部５５、補助取付部５６が中空部２３ｂ、外向き凹部６０にそれぞれ嵌合すると共に、突片５８が本体部３１の中空部に嵌合し、本体部５２の上面が縦框２３の長手方向の端面２３ｃに接する。
【００２７】
前述の摺動片５０は、図１におけるサッシ枠１０の室内側寄りに装着した障子２０の一方の縦框２３の下部に取付けた摺動片５０であるが、その一方の縦框２３の上部に取付けた摺動片５０、サッシ枠１０の室外側寄りに装着した障子２０の他方の縦框２３の下部、上部に取付けた摺動片５０も同様である。
【００２８】
なお、縦框２３の上部に取付けた摺動片５０と下部に取付けた摺動片５０の両方を外気導入部を有する形状としても良いが、一方の摺動片５０のみを外気導入部を有する形状としても良い。
例えば、枠側緩衝剤３０を縦枠２３の他方の長手方向端面までの長さとし、他方の摺動片５０を接触部５４を備えていない従来と同様とする。
または、他方の摺動片５０を外気導入孔５１を有しないものとする。
【図面の簡単な説明】
【００２９】
【図１】本発明の実施の形態を示す引き違いサッシの内観図である。
【図２】図１の縦断面図である。
【図３】図１の横断面図である。
【図４】一方の縦框下部の閉じ状態の斜視図である。
【図５】一方の縦框と摺動片の分解斜視図である。
【図６】摺動片の平面図である。
【符号の説明】
【００３０】
１０…サッシ枠、１１…上枠、１２…下枠、１３…縦枠、２０…障子、２１…上框、２２…下框、２３…一方の縦框（戸当り框）、２３ａ…外面、２３ｂ…中空部、２４…他方の縦框（召合せ框）、３０…障子側緩衝材、３１…本体部、３２…装着部、４０…枠側緩衝材、５０…摺動片、５１…外気導入孔、５３…接触部、５７…空気通路。
【図１】
2005350986.tif 000003
【図２】
2005350986.tif 000004
【図３】
2005350986.tif 000005
【図４】
2005350986.tif 000006
【図５】
2005350986.tif 000007
【図６】
2005350986.tif 000008
【手続補正書】
【提出日】平成16年6月14日(2004.6.14)
【手続補正１】
【補正対象書類名】明細書
【補正対象項目名】０００３
【補正方法】変更
【補正の内容】
【０００３】
【特許文献１】実公昭６２−４３１１７号公報
【特許文献２】実公昭６３−６３８７号公報